(57)【要約】【課題】固定ピンを緩まないように固定できるネイルアセンブリを提供する。【解決手段】髄内釘アセンブリは、壁部に少なくとも一つの開口部１４，１８を有する髄内ネイルコンポーネント２と、その中を貫通する少なくとも一つの開口部３２を有する固定スリーブとを備えている。固定スリーブ及びネイルコンポーネントの一方は中空内腔を有し、固定スリーブ及びネイルコンポーネントの他方を同軸でスライドする配置で嵌めて、ネイルコンポーネントの壁部にある開口部を固定スリーブにある開口部と位置を揃えることができるようになっている。固定ピン１９が、ネイルコンポーネント及び固定スリーブの壁部にある開口部に、それらの開口部の位置が揃えられたときに、横向きに挿入して通される。アクチュエータを用いて固定スリーブをネイルコンポーネントに対し相対的に軸方向に動かし、ネイルコンポーネント及び固定スリーブにある、位置を揃えた開口部に挿入して通されている固定ピンをしっかりと保持する。【選択図】  図４
2007500564.tif 000002
【特許請求の範囲】
【請求項１】
髄内ネイルアセンブリであって、
ａ．髄管に嵌め込むことができるネイルコンポーネントであって、壁部に少なくとも一つの開口部であってピンが前記ネイルを貫通できるようにしている開口部を有するネイルコンポーネントと、
ｂ．固定スリーブであって、前記固定スリーブを貫通する少なくとも一つの開口部であってピンが前記スリーブを貫通できるようにする開口部を有する固定スリーブと、を備え、
前記固定スリーブ及び前記ネイルコンポーネントの一方が中空内腔を有し、前記固定スリーブ及び前記ネイルコンポーネントの他方を前記一方に同軸でスライドするような配置で嵌め込み、前記ネイルコンポーネントの前記壁部にある前記開口部を前記固定スリーブにある前記開口部に位置を合わせることができるようにしてあり、
前記髄内ネイルアセンブリは、
ｃ．前記ネイルコンポーネント及び前記固定スリーブにある前記開口部の位置を揃えた場合に、前記固定スリーブの前記壁部及び前記ネイルコンポーネントにある前記開口部に横方向に挿入して通すことができる固定ピンと、
ｄ．前記固定スリーブを前記ネイルコンポーネントに対し相対的に軸方向に動かし、前記ネイルコンポーネント及び前記固定スリーブにあり、位置が揃えられている前記開口部に挿入して通してある前記固定ピンがしっかりと保持されるようにするアクチュエータと、を備える髄内ネイルアセンブリ。
【請求項２】
請求項１記載のネイルアセンブリであって、
前記アクチュエータがねじ付きキャップを備え、前記固定スリーブが一端に又は一端の近くに対応するねじ部を有し、前記ねじ付きキャップを前記固定スリーブの前記ねじ部と係合させることにより、前記固定スリーブを前記ネイルコンポーネントの前記内腔の中で軸方向に動かすことができる、ネイルアセンブリ。
【請求項３】
請求項１記載のネイルアセンブリであって、
前記ネイルコンポーネントが、少なくとも第１及び第２の開口部を前記ネイルコンポーネントの壁部に有し、ピンが、前記ネイルコンポーネントを２つの異なる位置で貫通できるようにしている、ネイルアセンブリ。
【請求項４】
請求項３記載のネイルアセンブリであって、
前記第１の開口部が前記第２の開口部に対して相対的に放射方向にずれている、ネイルアセンブリ。
【請求項５】
請求項３記載のネイルアセンブリであって、
前記第１の開口部が前記第２の開口部に対し相対的に前記ネイルコンポーネントの軸に沿ってずれている、ネイルアセンブリ。
【請求項６】
請求項１から５までのいずれかに記載のネイルアセンブリであって、
前記固定スリーブが、前記固定スリーブを貫通する、少なくとも第１及び第２の開口部を有する、ネイルアセンブリ。
【請求項７】
請求項６記載のネイルアセンブリであって、
前記固定スリーブにある前記開口部の内の第１のものが、前記開口部の内の第２のものに対して相対的に放射方向にずれている、ネイルアセンブリ。
【請求項８】
請求項６記載のネイルアセンブリであって、
前記固定スリーブにある前記開口部の内の第１のものが、前記開口部の内の第２のものに対して相対的に前記固定スリーブの軸に沿ってずれている、ネイルアセンブリ。
【請求項９】
請求項１記載のネイルアセンブリであって、
前記固定スリーブが、前記固定スリーブの全長の少なくとも一部にわたって中空になっており、前記ネイルコンポーネントが前記固定スリーブに入れられている、ネイルアセンブリ。
【請求項１０】
請求項１記載のネイルアセンブリであって、
前記ネイルコンポーネントが、前記ネイルコンポーネントの全長の少なくとも一部にわたって中空になっており、前記固定スリーブが前記ネイルコンポーネントに入れられている、ネイルアセンブリ。
【請求項１１】
請求項１０記載のネイルアセンブリであって、
前記固定スリーブが前記固定スリーブの近位端部にねじ部が切ってある内腔を有しており、前記アクチュエータが雄ねじ付き軸部を有するプラグを備えており、前記雄ねじ付き軸部が前記固定スリーブの前記内腔の前記ねじ部と係合して前記固定スリーブを張力がかかった状態におく、ネイルアセンブリ。
【請求項１２】
請求項１０記載のネイルアセンブリであって、
前記ネイルコンポーネントが、前記ネイルコンポーネントの近位端部にねじ部が切ってある内腔を有しており、前記アクチュエータが雄ねじ付き軸部を有するプラグを備えており、前記プラグにある前記ねじ付き軸部が前記ネイルコンポーネントの前記内腔の前記ねじ部と係合することができ、これにより、前記アクチュエータを前記ネイルコンポーネントの前記内腔に押し込み、前記アクチュエータの端部が前記固定スリーブと係合して、前記固定スリーブを圧縮された状態におくことが可能である、ネイルアセンブリ。
【請求項１３】
請求項１記載のネイルアセンブリであって、
前記ネイルコンポーネント及び前記固定スリーブの一方が壁部に切り込まれた長手方向の溝部を有し、かつ、他方が舌状部を有しており、前記舌状部は、前記溝部に嵌め込んで、前記ネイルコンポーネントが前記固定スリーブに対して相対的にスライドするときに前記溝部に沿ってスライドさせることで、前記ネイルコンポーネント及び前記固定スリーブの相対的な角度方向のずれを抑制することができる、ネイルコンポーネント。
【請求項１４】
髄内ネイルアセンブリであって、
ａ．髄管に嵌め込むことができるネイルコンポーネントであって、少なくとも一つの開口部であってピンが前記ネイルを貫通できるようにしている開口部を有するネイルコンポーネントと、
ｂ．前記ネイルコンポーネントの前記開口部の内部にある突出部であって、前記開口部を横切るように延びていて、前記ネイルの向かい合う側部の壁部の間の位置における前記開口部の寸法が、前記ネイルの壁部における前記開口部の寸法よりも小さくなるようにしている突出部と、
ｃ．前記ネイルコンポーネントの前記壁部にある前記開口部に、横切るように挿入して通すことができる固定ピンであって、前記固定ピンの横寸法が、前記突出部のあるところで測った前記開口部の横寸法よりも大きい固定ピンと、を備え、
前記固定ピンが前記突出部に接触するところでの前記固定ピンの材料は、前記突出部の材料よりも固く、前記ピンを前記開口部に挿入して通し、前記突出部のところを通過させると、前記突出部が変形し、前記固定ピンがしっかりと保持される、髄内ネイルアセンブリ。
【請求項１５】
請求項１４記載のネイルアセンブリであって、
前記ネイルコンポーネントが内部に軸方向内腔を有しており、前記突出部が、前記内腔の中に配置された固定プラグによって与えられている、ネイルアセンブリ。
【請求項１６】
請求項１５記載のネイルアセンブリであって、
前記固定プラグの材料は、前記ネイルコンポーネントの材料と異なる、ネイルアセンブリ。
【請求項１７】
請求項１５記載のネイルコンポーネントであって、
前記固定プラグの材料は、高分子材料である、ネイルコンポーネント。
【請求項１８】
請求項１５記載のネイルコンポーネントであって、
前記固定プラグが前記ネイルコンポーネントの前記内腔にスライド可能な締まりばめで嵌っている、ネイルコンポーネント。
【請求項１９】
請求項１５記載のネイルコンポーネントであって、
前記固定プラグが前記固定プラグを貫通する開口部であってピンが前記プラグを貫通できるようにする開口部を有しており、前記突出部は前記開口部の壁部に設けられており、前記開口部の寸法を局所領域において小さくしている、ネイルコンポーネント。
【発明の詳細な説明】
【開示の内容】
【０００１】
本発明は、髄内釘アセンブリに関するものである。
【０００２】
（上腕骨、大腿骨、及び脛骨のような）長骨の骨折は、一般に、髄内釘を用いて治療する。骨の断片は、髄内管(intramedullary canal)に挿入したネイルコンポーネントを用いて位置を合わせた状態で保持する。ネイルコンポーネントは、固定ピンを用いて適所に保持でき、この固定ピンは、髄内管を横切るように伸びていて、骨の組織及びネイルコンポーネントの開口部を通って延びている。２つ以上の固定ピンを使用することができ、これらの固定ピンは、放射方向及び軸方向に間隔をあけて配置されたネイルコンポーネントの開口部を通って延びている。
【０００３】
固定ピンは、ネイルコンポーネントにある開口部を通ってスライドすることができる。固定ピンは、骨の組織と係合することにより、その処置位置に保持される。固定ピンは、例えば、骨組織が骨粗鬆症になっていれば、その骨組織が退化することにより緩くなることがある。ネイルの開口端の近くにある固定ピンの緩みを、ネイルの軸方向に延びる内腔に、ピンと係合するように挿入したエンドキャップを用いて防ぐことが知られている。しかしながら、これは、ネイルの開口端の近くにある固定ピン以外の固定ピンを固定するのに用いることができない。
【０００４】
本発明は、髄内釘アセンブリを提供するものであり、この髄内釘は固定スリーブを含んでおり、この固定スリーブは、ネイルコンポーネントの内腔に嵌め込むことができる。固定スリーブは、その壁部に少なくとも一つの開口部を有し、この開口部は、ネイルコンポーネントの壁部にある開口部と位置を合わせることができる。
【０００５】
したがってある態様では、本発明は髄内釘アセンブリを提供するものであり、この髄内釘アセンブリは、
ａ．髄管に嵌め込むことができるネイルコンポーネントであって、壁部に少なくとも一つの開口部であってピンがネイルを貫通できるようにする開口部を有するネイルコンポーネントと、
ｂ．固定スリーブであって、この固定スリーブを貫通する少なくとも一つの開口部であってピンがスリーブを貫通できるようにする開口部を有する固定スリーブと、を備え、
固定スリーブ及びネイルコンポーネントの一方が中空内腔を有し、固定スリーブ及びネイルコンポーネントの他方をその一方に同軸にスライドするような配置で嵌め込み、ネイルコンポーネントの壁部にある開口部を固定スリーブにある開口部の位置に合わせることができるようにしてあり、
髄内釘アセンブリは、
ｃ．ネイルコンポーネント及び固定スリーブにある開口部の位置が揃っているときに、ネイルコンポーネント及び固定スリーブの壁部にある開口部に挿入して横切るように通すことができる固定ピンと、
ｄ．固定スリーブをネイルコンポーネントに対し相対的に軸方向に動かし、ネイルコンポーネント及び固定スリーブにおける位置を揃えた開口部に挿入して通した固定ピンがしっかりと保持されるようにするアクチュエータと、を備える。
【０００６】
本発明のネイルアセンブリは、固定ピンを緩まないように固定できるという利点を有する。いくつかの固定ピンを使用している場合には、このことが同時に達成される。したがって、固定ピンが緩み、そしてネイルコンポーネント及び位置を合わせた固定スリーブから外れるかも知れないという問題は少なくなる。
【０００７】
固定スリーブは、その長さの少なくとも一部にわたって中空であり、ネイルコンポーネントを固定スリーブに入れることができるようになっていることがある。
【０００８】
ネイルコンポーネントは、その長さの少なくとも一部にわたって中空であり、固定スリーブをネイルコンポーネントに入れることができるようになっていることがある。
【０００９】
好ましくは、ネイルコンポーネントと固定スリーブの断面が非円形であり、一方の他方に対する相対的な角度方向のずれが抑制されるようになっている。例えば、ネイルコンポーネント及び固定スリーブの一方が舌状部（又は翼状部）を有することがあり、この舌状部（又は翼状部）は、ネイルコンポーネント及び固定スリーブの他方における対応する溝部に入れることができる。角度方向のずれは、ネイルコンポーネント及び固定スリーブの一方にある少なくとも一つの平坦部を、ネイルコンポーネント及び固定スリーブの他方にある、一つ以上の、対応する平坦部と共に用いることによって抑制することもある。例えば、固定スリーブがネイルコンポーネントの内腔に嵌っている場合には、固定スリーブが、断面を見た場合に、ほぼＤ字に成形されていることがあり、ネイルコンポーネントにおける内腔は、これもまた、ほぼＤ字形状になるように、対応する平坦部を有することがある。
【００１０】
好ましくは、ネイルコンポーネント及び固定スリーブの一方がその壁部に切り込まれた長手方向の溝部を有し、他方が舌状部（又は翼状部）を有する。この舌状部（又は翼状部）は、ネイルコンポーネントが固定スリーブに対し相対的にスライドするときに、その溝部にはまり、溝部に沿ってスライドすることで、ネイルコンポーネント及び固定スリーブの相対的な角度方向のずれを抑制することができる。溝部は、特にネイルコンポーネントの壁部に設けられている場合に、壁部の厚み全体の端から端まで及んでいて、ネイルの中にある固定スリーブの舌状部をネイルコンポーネントの外側から操作できるようになっていることがある。もっとも、溝部が厚み全体の端から端まで及んでいることは必ずしも必要なことではない。
【００１１】
固定スリーブは、スリーブが嵌めてあるネイルの端部から最も遠くにあり、そのスリーブを用いて動かないようにしようとするピンに作用するように、その遠位端が構成されていることがある。例えば、スリーブが、上記のピンと係合するその遠位端において丸く形成されていることがある。固定スリーブに長手方向に延びる内腔がある場合、固定スリーブをその遠位端において閉じることがある。例えば、固定スリーブは、内腔に挿入したプラグ、特に遠位端が丸くしてあるプラグを用いて閉じることがある。固定スリーブにとっては、最も遠くにあるピンに作用するときにその遠位端が閉じられることが好ましい。もっとも、固定スリーブの端部をあけておくことに利点があることもある。この利点とは、例えば埋め込み処置中に、ガイドワイヤ又は他の器具の構成要素であってネイルコンポーネントの軸に沿って延びるものが使いやすくなるというものである。
【００１２】
遠位端においてピンと係合するように構成された固定スリーブは、荷重がかかった状態におかれたときに変形するように構成されることがある。例えば、細長い溝部をスリーブの壁部に形成して、張力がかかった状態、又は特に圧縮荷重がかかった状態におかれた場合に変形しやすいようにすることがある。好ましくは、（引張又は圧縮）荷重がかかった状態におかれた場合のスリーブの変形は、荷重を取り去ったときにスリーブが少なくとも部分的に回復できるよう弾力のあるものである。このことは、最初に荷重をかけた後も固定ピンに確実に荷重がかかり続けることに有効であることがある。
【００１３】
好ましくは、アクチュエータはねじ付きキャップを構成する。好ましくは、ネイルコンポーネント及び固定スリーブの一方が、一端に又はその近くに、対応するねじ部を有する。これにより、ねじ付きキャップを固定スリーブ又はネイルコンポーネントのねじ部と係合させることで、スリーブをネイルコンポーネントに対し相対的に軸方向に動かすことができる。
【００１４】
キャップが拡大頭部を有し、ねじ部が、その頭部から延びている軸部にあることがある。頭部は、固定スリーブ又はネイルコンポーネントに設けられた内腔の中に嵌らないような大きさに作られる。例えば、軸をネイルコンポーネントの内腔に挿入して、固定スリーブ内部のねじ部と係合させる場合、頭部がネイルコンポーネントの端部に対して作用することがあり、あるいは、軸を固定スリーブの内腔に挿入して、ネイルコンポーネント内部のねじ部と係合させる場合、頭部が固定スリーブの端部に対し作用することがある。
【００１５】
プラグのねじ部は、ネイル又はスリーブの一方のねじ部と係合し、その遠位端において、ネイル及びスリーブの他方の端部に対して作用することがある。プラグは、スリーブを変形するのに十分なだけプラグを挿入したときに、ねじ付きのネイル又はスリーブと接触して、このことが達成されたというエンドストップインディケーション(end stop indication)を外科医に与える頭部を有することがある。
【００１６】
アクチュエータは、固定スリーブをネイルコンポーネントに沿ってアクチュエータの方へ動かし、固定スリーブが固定ピンに（又は複数の固定ピンに）、アクチュエータとは反対の方向を向いている固定ピンの表面において接触し、固定スリーブが、張力がかかった状態におかれるようにすることがある。アクチュエータは、固定スリーブをネイルコンポーネントに沿ってアクチュエータから離れる方向へ動かし、固定スリーブが骨固定ピンに（又は複数のピンに）、アクチュエータの方を向いている固定ピンの表面において接触し、固定スリーブが圧縮された状態におかれるようにすることがある。
【００１７】
好ましくは、ネイルコンポーネントが少なくとも第１及び第２の開口部をその壁部に有し、ピンが、ネイルコンポーネントを２つの異なる位置で貫通できるようにしている。好ましくは、第１の開口部が第２の開口部に対し相対的に放射方向にずれている。好ましくは、第１の開口部がネイルコンポーネントの軸に沿って第２の開口部に対し相対的にずれている。ネイルコンポーネントの第１の開口部が、第２の開口部に対し相対的に放射方向及び軸方向の両方にずれていることが特に好ましい。
【００１８】
好ましくは、固定スリーブが少なくとも第１及び第２の開口部をその壁部に有する。好ましくは、スリーブにおける開口部の第１の方が、前述した開口部の第２の方に対し相対的に放射方向にずれている。好ましくは、スリーブにおける開口部の第１の方が、スリーブの軸に沿って、上述した開口部の第２の方に対し相対的にずれている。スリーブにおける開口部の第１の方は、上述した開口部の第２の方に対し相対的に放射方向及び軸方向の両方にずれていることが特に好ましい。
【００１９】
ネイルコンポーネント若しくは固定スリーブ又はその両方は、少なくとも３つの開口部若しくは少なくとも４つの開口部又はそれ以上の開口部を有することがある。固定ピン用の開口部の選定は、患者の骨における骨折の場所に従って行うことができる。
【００２０】
アクチュエータは、固定ピンを構成することがある。固定ピンは、固定スリーブを軸方向に、ネイルコンポーネントに対し相対的に動かして、その固定ピンと、少なくとも一つの別の固定ピンとをしっかりと保持するのに使用することができる。このようなことは、ネイル及び固定スリーブが、各々、少なくとも２つの開口部をその壁部に有し、それら開口部の位置がほぼ揃ってはいるが、その間の間隔がわずかに異なる場合に可能である。あるいは、固定スリーブは、固定スリーブの端において固定スリーブに接触する固定ピンを利用してもよい。この場合には、スリーブの端部と、スリーブを貫通する開口部との間の間隔が、ネイルの壁部にある開口部の間の間隔と異なる。固定ピンを使用して固定スリーブとネイルコンポーネントとの間を相対的に動かす場合には、アセンブリの配置が以下のステップを伴うかもしれない。
ａ．骨小腔(bone cavity)を準備する、
ｂ．ネイルコンポーネントを骨小腔に配置する、
ｃ．横断するねじ孔を骨に準備する、
ｄ．ネイルコンポーネントの内腔に固定スリーブを配置する、
ｅ．第１の固定ピンのための骨の開口部、ネイルコンポーネントの開口部及び固定スリーブの開口部の位置を揃えた状態で、第１の固定ピンを骨とネイルコンポーネントに挿入して通す、
ｆ．第１の固定ピンのための骨の開口部及びネイルコンポーネントの開口部の位置が揃っているが、固定スリーブにおける開口部が少しずれている状態で、第２の固定ピンを骨に挿入して通し、スリーブとネイルコンポーネントとの間を相対的に動かし、これにより、固定スリーブが第１及び第２の固定ピンをしっかりと保持するようにする。
【００２１】
好ましくは、ネイルコンポーネントは中空であり、内腔は実質的にネイルコンポーネントの全長にわたって延びている。もっとも、内腔は一端において閉じられていることがあり、この一端は、たいてい、髄内管に最初に挿入する端部である。ネイルコンポーネントが、その長さの一部又は全部にわたって延びる内腔を有する場合、固定用の開口部は、ネイルコンポーネントの壁部において向き合った対となるように設けられる。
【００２２】
好ましくは、固定スリーブは内腔を有し、この内腔は、少なくとも固定スリーブの長さの一部にわたって延びている。内腔は、固定スリーブの全長にわたって延びていることもある。固定スリーブが、その長さの一部又は全部にわたって延びる内腔を有する場合、固定用の開口部は、スリーブの壁部に向き合った対となるように設けられる。ネイルコンポーネントの内腔に入れられる固定スリーブに内腔を設けることは、固定スリーブが金属から形成されている場合に特に好ましいことである。なぜならば、これにより、スリーブ若しくはピン又はその両方の材料の変形による固定スリーブと一つ以上の固定ピンとの間のしっかりとした連結を容易に形成できるからである。固定スリーブが特定のポリマー（特にＵＨＭＷＰＥ）のようなもっと変形しやすい材料から形成されていれば、固定スリーブには、その中に延びる内腔がないであろう。
【００２３】
ネイルコンポーネント及び固定スリーブの開口部は、固定ピンが、患者の髄内管で規定される軸に対してほぼ横向きにネイルコンポーネント及び固定スリーブを貫通でき、これにより、固定ピンが、髄内管を画定する海綿骨に固定されるように配置される。固定ピンは必ずしも軸に垂直である必要はないが、ほぼ垂直であることが多くの場合にピンにとって好ましいことがある。例えば、開口部は、開口部に挿入して通したピンと軸との間の角度が約８５°を越えないように、又は約８０°を越えないように、又は約７５°を越えないように配置することがある。軸と、第１の開口部に挿入して通したピンとの間の角度は、軸と、開口部の第２の対に挿入して通したピンとの間の角度とほぼ等しいこともある。軸と、第１の開口部に挿入して通したピンとの間の角度は、軸と、第２の開口部に挿入して通したピンとの間の角度と異なることもある。
【００２４】
ネイルコンポーネント若しくは固定スリーブ又はその両方にある開口部であって、その開口部を貫通するピンと係合するものにとって、固定スリーブがアクチュエータによって作られていて、ネイルコンポーネントの内腔の中でネイルコンポーネントに対して相対的に軸方向に動く場合に、開口部がピンの素材に食い込むようにアレンジされていることが好ましいことがある。このようにして、ネイルコンポーネント及び固定スリーブの協同により、ピンをよりしっかりと保持することができる。例えば、開口部の端部を鋭利なものにすることがある。このことは、ネイルコンポーネント及び固定部品の各々が中空であれば、その両方について都合よく行えるが、固定スリーブが中空ではない場合にも可能である。さらに、ネイルコンポーネント若しくは固定スリーブ又はその両方の材料を固定ピンの材料とは（より固く又は柔らかくなり得るように）異なる硬度を有するように手配することがある。スリーブは、チタン合金又は他の金属から作ることがあり、これは、固定ピンが例えば一定のステンレススチールから作られていれば、固定ピンよりも固くはない。スリーブの開口部には溝をつけて、固定ピンによって容易に変形するようにすることがある。スリーブは、少なくとも部分的に、変形可能な高分子材料から作ることができる。このことは、（例えば、遠位端部分における切り込みを用いて、又はスリーブの開口部を細くすることによって、又は少なくとも一つの切り欠きを固定スリーブに、固定ピン用の開口部の周囲に設けることによって）このように容易に変形するように構成されたスリーブについて特に好ましいことがある。スリーブは複合品として作られ、高分子材料製のスリーブであってその中に固定ピン用の開口を有するものと、コアピースであってアクチュエータと係合するために中にねじが切ってあるものとを備えていることがある。
【００２５】
固定スリーブは、固定ピンに接触するところにおいて変形しやすいように構成することがある。例えば、固定スリーブの開口部を細長くし、開口部がほぼ楕円であり、アセンブリの軸に沿って測ると、その軸に対して横に測るよりも幅が広いようにすることがある。固定スリーブは、開口部の側部において弱化させて、スリーブに張力がかかった状態においたときに、局所的に変形しやすいようにすることもある。例えば、スリーブは、切り込まれた切り欠きを有することがある。
【００２６】
好ましくは、ネイルコンポーネントがねじ付き内腔をその近位端部に有し、アクチュエータが雄ねじ付きの軸部を有するプラグを構成し、そのプラグにあるねじ付きの軸部がネイルコンポーネントの内腔にあるねじ部と係合でき、これにより、アクチュエータをネイルコンポーネントの内腔に押し込み、アクチュエータの端部が固定スリーブと係合して固定スリーブを圧縮された状態におくが可能になる。
【００２７】
好ましくは、ネイルコンポーネント及び固定スリーブの一方にその壁部に切り込まれた長手方向の溝部があり、他方には舌状部がある。この舌状部は、溝部に嵌って、ネイルコンポーネントが固定スリーブに対して相対的にスライドするときに、その溝部に沿ってスライドし、ネイルコンポーネント及び固定スリーブの相対的な角度ずれを抑制することができる。このアセンブリの部品は、整形外科のインプラントの製造に一般に用いられている材料から作ることができる。適する材料の例には、一定のステンレススチール、及び一定のチタンベースの合金がある。特に好ましい材料には、金属及び金属合金がある。例えば、適する材料には、Ti6Al7Nb合金及びTi6Al4V合金、一定のステンレススチール、及びコバルト−クロムベースの合金がある。適する高分子材料には、超高分子量ポリエチレンがある。生体吸収性材料を使用することもあり、これにより、埋め込み後の所定期間経過後における固定ピンの除去を管理することが可能になる。
【００２８】
好ましくは、連結用のネイル若しくは固定スリーブ又は両方における開口部の横の寸法（特に開口部が円形であるときの直径）は、固定ピンの横の寸法よりほんのわずかだけ大きい。例えば、上述した直径の比は、好ましくは、約１．５を越えることはなく、より好ましくは約１．２５を越えることはなく、例えば約１．１を越えない。
【００２９】
以下、本発明の実施形態を一例として、添付図面を参照しながら記述する。
【００３０】
図面を参照すると、図１はネイルアセンブリ(nail assembly)を示しており、このネイルアセンブリは、骨折の治療中に、患者の長骨における髄腔(intramedullary cavity)の内部に配置するためのネイルコンポーネント(nail component)２を備えている。このアセンブリは、例えば、大腿骨又は上腕骨又は脛骨で使用することができる。ネイルコンポーネントは、中空の内腔をその近位端４に有している。ネイルコンポーネントは、近位端に最も近い領域５において最も幅が広くなっている。ネイルコンポーネントは、その遠位端８において閉じられていて、腔内へ挿入しやすいようにテーパーが付けられている。ネイルコンポーネントは、遠位端８及び幅が広い領域４の間における長さの大部分１０にわたり、実質的に一定の断面を、テーパーを付けた移行領域１２と共に有している。
【００３１】
好ましい実施形態において、このネイルコンポーネントは、実質的に円形の断面をその全長にわたって有している。断面が一定である部分の遠位領域におけるネイルコンポーネントの直径は、好ましくは少なくとも約５ｍｍであり、好ましくは約１０ｍｍを越えることはなく、例えば約８ｍｍである。断面が一定である部分の近位領域におけるネイルコンポーネントの直径は、好ましくは少なくとも約８ｍｍであり、好ましくは約１５ｍｍを越えることはなく、例えば約１１ｍｍである。
【００３２】
ネイルコンポーネントは、一対の貫通孔１４を定断面領域１０に有しており、この貫通孔１４には、遠位固定ピン１６を入れることができる。
【００３３】
ネイルコンポーネントは、一対の貫通孔１８を幅広領域４に有しており、この貫通孔１８は、定断面領域１０の貫通孔１４にほぼ平行であり、この貫通孔１８には近位固定ピン１９を入れることができる。ネイルコンポーネントは、さらに貫通内腔２０を有しており、この貫通内腔２０は、定断面領域１０の貫通孔１４に対しほぼ垂直に延びている。ネイルコンポーネントは、さらに貫通内腔２２を有しており、この貫通内腔２２は、ネイルコンポーネントの軸に対して、かつ、定断面領域の貫通孔１４に対して約４５°の角度で延びている。
【００３４】
ネイルコンポーネントの孔は、固定用ピンが入り、ピンと、その孔を画定する壁部との間で過大な遊びができる空きがないような大きさに作られる。固定用ピンの直径は、例えば少なくとも約２ｍｍであり得るし、好ましくは少なくとも約３．５ｍｍである。固定用ピンの直径は、多くの応用例において約７．５ｍｍを越えることはなく、好ましくは約５ｍｍを越えることがない。異なるサイズの固定ピンをアセンブリの異なる部分で使用することができる。例えば、近位で使用されているピンに比べて小さい固定ピンを遠位で使用し、ピンをいれる貫通孔を対応する大きさに作るということがあり得る。
【００３５】
図２から４までに示すように、固定スリーブ２８がネイルコンポーネントの近位領域４にある中空内腔３０に入れられている。固定スリーブは中空であり、固定スリーブを貫通する３つの貫通孔３２を有している。これらの孔は、遠位定断面領域の孔１４に平行な孔１８、及び遠位定断面領域の孔１４に垂直な孔２０に位置を揃えることができ、この結果、固定ピンを、位置を揃えた、固定スリーブ及びネイルコンポーネントの孔に挿入することができるように配置されている。
【００３６】
固定スリーブは中空であり、一端に雌ねじ３４を有している。固定スリーブは、固定ピンの金属より柔らかい金属（例えばチタン又はチタン合金）又は（超高分子量ポリエチレンのような）ポリマーから形成されている。
【００３７】
アセンブリはエンドキャップ５０を含んでおり、このエンドキャップ５０は、雄ねじ付き軸部分５２と、頭部５４とを有している。
【００３８】
使用に際しては、骨を固定アセンブリが入るように準備する。これは、ネイルコンポーネントの遠位領域及び近位領域における直径に対して適切な大きさを有するリーマを使って髄腔を広げることにより行う。
【００３９】
ネイルコンポーネントは、固定スリーブ２８をネイルコンポーネントの内腔３０に配置し、その２つの部品の孔の位置を揃えることによって組み立てる。固定スリーブは、内腔の中の適所にエンドキャップを用いて保持される。このエンドキャップの軸部分５２は固定スリーブにねじ結合し、エンドキャップの頭部５４はネイルコンポーネントの端部に当接する。
【００４０】
固定ピンの位置の選定は、手術の手順における術前計画段階で、骨折の性質及び場所を示す画像（特にＸ線画像）を用いて行う。患者の骨は、適当な案内具を使い、ドリルで孔をあけることにより、固定ピンが入るように準備する。このような一般的な種類の道具は存在している。一般的な種類の道具の例は、EP-A-321170及びUS-5403321に開示されている。
【００４１】
ピンは、ドリルであけた骨の孔及びネイルコンポーネントの孔に挿入して通すことができ、かつ、ネイルコンポーネントの近位端部にある固定スリーブの場合には、固定スリーブにおける位置を合わせた孔に挿入して通すことができる。
【００４２】
ネイルコンポーネントの近位端部にあるピンは、エンドキャップを回転させて、ネイルコンポーネントの内腔の中にある固定スリーブをネイルコンポーネントに対して相対的に軸方向に動かすことにより、適所に固定することができる。これにより、エンドキャップの回転方向次第で、固定スリーブが内腔の中により深く進むか、内腔の外へと引き戻される。このような移動により、ネイルコンポーネントを貫通する固定ピンが、ネイルコンポーネント及び固定スリーブのそれぞれの孔のピンに対する剪断作用によりしっかりと保持される。
【００４３】
固定ピンの配置が不正確であると、この剪断作用によってピンの１つが他のピンがぐらつかないように保持される前にしっかりと保持されるが、固定ピンの配置のどのような不正確さも、固定スリーブの材料の変形により吸収される。
【００４４】
固定スリーブの材料は、生体吸収性(bioresorbable)であることがあり、これにより、骨折が治った後に除去できるように、固定ピンをネイルコンポーネントの内部から解放することが可能になる。
【００４５】
図５は、ネイルアセンブリの他の実施形態の構成部品を示している。このアセンブリもまたネイルコンポーネント１０２、固定スリーブ１０４及びエンドキャップ１０６を備えている。ネイルコンポーネントは、内腔１０７をその近位端部１０８に有し、また、一対の細長い溝部１０９を有している。一対の細長い溝部１０９は、内腔を画定している壁部に切り込まれている。ネイルコンポーネントの内腔１０７は、その近位端部においてねじが切られている。
【００４６】
固定スリーブは、外を向いた一対の舌状部１１０を有し、この舌状部１１０は、細長い溝部の中でスライドすることができる。舌状部を細長い溝部に配置することは、固定スリーブの孔と、ネイルコンポーネントの孔とを位置を適切に揃えて維持するのに有効である。
【００４７】
固定スリーブは、その遠位端１１１において閉じられている。遠位端１１１は、スリーブを嵌めたネイルの端部から最も離れているピンに作用させることを意図して、ほぼ丸くしてある。複数の切り込み１１３がスリーブの遠位端近くに設けられていて、スリーブを圧縮しやすくしている。もっとも、固定スリーブは、例えば管材から形成した結果として、その遠位端において開口していてもよい。
【００４８】
固定スリーブにある開口部１１５は、圧縮荷重がかかった状態におかれた場合に容易に変形するように構成することがある。例えば、開口部は、わずかに細長くすることがある。開口部は、両側に切り欠きを有することがある。
【００４９】
エンドキャップ１０６は軸部分１１２を有し、この軸部分１１２には雄ねじがある。軸部分１１２の端面１１４は、固定スリーブを内腔により深く押し込むために、固定スリーブの端面１１６を押す。エンドキャップは、エンドキャップの軸部分の雄ねじと、ネイルコンポーネントの端部の内腔にある雌ねじとの間の係合により、固定スリーブの端面に押しつけるように動かす。これにより、スリーブは、ネイルコンポーネントをその近位端部において貫通する固定ピンの各々と接触することによる圧縮荷重のもとで変形する。この変形は、スリーブの遠位端にある切り込み１１３によって、また、固定スリーブの孔を細長くしたこと、そして、その孔につながっている切り欠きによって容易となっている。
【００５０】
図６ａは、本発明によるネイルコンポーネント１５０の近位領域の断面であり、ネイルコンポーネントの壁部１５２を示しており、壁部１５２は、その内部に内腔１５４を画定している。この内腔は、ほぼ円形の断面になっており、３つの溝部１５５を備えている。３つの溝部１５５は、内腔の周りに一定間隔で配置されている。図６ｂは、固定スリーブ１５６の断面である。固定スリーブ１５６は、ネイルコンポーネントの内腔１５４の中に配置でき、ネイルコンポーネントを横切って端から端まで延びる固定ピンを、ほぼ図１から５に関連して前述したように固定するのに使用することができる。固定スリーブは、断面がほぼ円形であり、外へ延びる３つの突出部１５８を有する。外に延びる突出部付きの固定スリーブの断面形状は、ネイルコンポーネントの内腔の断面形状に対応していて、固定スリーブをネイルコンポーネントの内腔にはめ込むことができる。突出部１５８を溝部１５５に入れたら、スリーブは、ネイルコンポーネントの内腔に相対的な回転に対して保持される。
【００５１】
図７ａは、本発明によるネイルコンポーネント１７０の近位領域の断面であり、ネイルコンポーネントの壁部１７２を示しており、壁部１７２はその中に内腔１７４を画定している。この内腔は、断面がほぼ円形であり、内腔の壁部の一部が平坦部１７５になっている。図７ｂは、固定スリーブ１７６の断面であり、この固定スリーブ１７６は、ネイルコンポーネントの内腔１７４の中に配置でき、ネイルコンポーネントを横切って端から端まで延びる固定ピンを、ほぼ図１から５までに関連して前述したように固定するのに使用することができる。この固定スリーブは、断面がほぼ円形であり、固定スリーブの壁部の一部が平坦部分１７８になっている。平坦部分１７８付き固定スリーブの断面形状は、ネイルコンポーネントの内腔の断面形状に対応していて、固定スリーブをネイルコンポーネントの内腔に嵌め込むことができる。固定スリーブの壁部の平坦部分１７８を内腔の壁部の平坦部分１７５に当てるように配置すると、スリーブは、ネイルコンポーネントの内腔に相対的な回転に対し保持される。
【００５２】
図８は、ネイルコンポーネントの近位部分１８０を示しており、このネイルコンポーネントの中には、内腔１８２が形成されていて、ネイルコンポーネントの全長にわたって延びている。第１及び第２の開口部１８４、１８６がネイルコンポーネントに形成されていて、ネイルコンポーネントの内腔１８２とつながっている。第１の開口部は、ネイルの端から端まで、ネイルの軸に垂直に延びている。第２の開口部は、軸に対して傾いた角度で配置されている。
【００５３】
固定スリーブ１８８が、ネイルの内腔に備えられている。固定スリーブは、開口部１９０を有し、この開口部１９０は、固定スリーブの中に形成され、スリーブの軸に垂直に延びている。スリーブは、その壁部に形成された複数の切り込み１９１を有しており、この切り込みがスリーブを長手方向に圧縮することを可能にしている。スリーブは、圧縮を少なくとも部分的に回復させることができる材料から形成されている。スリーブの一方の端部１９２と軸との間の角度は、ネイルコンポーネントの壁部にある第２の開口部１８６と、ネイルコンポーネントの軸との間の角度にほぼ等しい。固定スリーブにある開口部１９０と、スリーブの傾斜した端部１９２との間の距離は、ネイルコンポーネントにある第１及び第２の開口部１８４、１８６の間の距離よりもわずかに大きい。
【００５４】
使用の際には、第１固定ピン（これは多くの場合、固定ねじである）をネイルの第１の開口部１８４及び固定スリーブの開口部１９０に挿入して通す。第２の固定ピンは、ネイルの第２の開口部１８６に挿入して通す。固定ピンをネイルの第２開口部に挿入すると、固定ピンが固定スリーブの傾斜端部１９２に対して作用し、固定スリーブを、第１及び第２の固定ピンの間で長手方向に圧縮する。固定スリーブの固定ピンに対する作用により、固定ピンがネイルコンポーネントにしっかりと保持される。
【００５５】
図９は、内腔２０２を有するネイルコンポーネントの近位部分２００を示している。内腔２０２は、ネイルコンポーネント内に形成されており、ネイルコンポーネントの全長にわたって延びている。第１及び第２の開口部２０４、２０６がネイルコンポーネントに形成されており、ネイルコンポーネントの内腔２０２とつながっている。第１の開口部は、ネイルの端から端まで、ネイルの軸に垂直に延びている。第２の開口部は、軸に対して傾いた角度で配置されている。
【００５６】
固定スリーブ２０８がネイルの内腔に備えられている。固定スリーブは、その中に形成された第１及び第２の開口部２１０、２１１を有している。第１の開口部２１０は、スリーブの軸に垂直に延びている。第２の開口部２１１は、スリーブの軸に対して傾いており、固定スリーブの第２の開口部と、スリーブの軸との間の角度が、ネイルコンポーネントの壁部にある第２の開口部１８６と、ネイルコンポーネントの軸との間の角度とほぼ等しい。固定スリーブにある第１及び第２の開口部２１０、２１１の間の距離は、ネイルコンポーネントにある第１及び第２の開口部２０４、２０６の間の距離よりわずかに大きい。固定スリーブは、高分子材料（特にＵＨＭＷＰＥ）又は使用しようとしている固定ピンの金属よりも軟らかい金属のような変形可能な材料から作られている。
【００５７】
使用の際には、第１固定ピン（多くの場合、固定ねじである）をネイルの第１開口部２０４及び固定スリーブの開口部２１０に挿入する。第２固定ピンは、ネイルの第２開口部２０６及び固定スリーブの第２開口部２１１に挿入する。スリーブ及びネイルコンポーネントのそれぞれにある第１及び第２の開口部の間の距離の違いは、固定スリーブが、第１及び第２の固定ピンによって固定スリーブにかかる引張る力によって変形するということを意味する。
【００５８】
図１０は、ネイルコンポーネントの近位部分２２０を示しており、このネイルコンポーネントは、その中に形成され、ネイルコンポーネントの全長にわたって延びる内腔２２２を有している。第１及び第２の開口部２２４、２２６がネイルコンポーネントに形成されていて、ネイルコンポーネントの内腔２２２とつながっている。第１及び第２の開口部は、ネイルの端から端まで、ネイルの軸に垂直に延びている。
【００５９】
固定プラグ２２８がネイルの内腔に備えられている。固定プラグは、その中に形成された第１及び第２の開口部２３０、２３１を有している。第１及び第２の開口部は、プラグの端から端までプラグの軸に垂直に延びている。固定プラグにある第１及び第２の開口部２３０、２３１の間の距離は、ネイルコンポーネントにある第１及び第２の開口部２２４、２２６の間の距離よりわずかに大きい。固定プラグは、高分子材料（特にＵＨＭＷＰＥ）のような変形可能な材料から作ることができる。固定プラグにある開口部２３０、２３１の各々は、その中に形成された突出部２３２、２３４を有していて、このために、開口部の幅が局所的に狭くなっている。突出部は、プラグの開口部内部を囲むように広がるリングという形態になっていることもある。
【００６０】
図１０に示したアセンブリは、固定ピン（多くの場合、固定ねじである）とともに使用されるものであり、この固定ピンは、突出部２３２、２３４において測定した、固定プラグの開口部の端から端までの距離よりもわずかに広い。したがって、固定ピンをネイルコンポーネント及び固定プラグの開口部に挿入して通すと、固定プラグの材料が突出部のところで局所的に変形する。
【００６１】
図面に示した実施形態では、ネイルコンポーネントに内腔を有し、この内腔に固定スリーブが入れられるが、固定スリーブがその中に内腔を有し、その内腔の中にネイルコンポーネントの近位部分を入れるという逆の配置も考えられる。
【００６２】
〔実施の態様〕
本発明の実施態様は以下の通りである。
（１）  髄内ネイルアセンブリであって、
ａ．髄管に嵌め込むことができるネイルコンポーネントであって、壁部に少なくとも一つの開口部であってピンが前記ネイルを貫通できるようにしている開口部を有するネイルコンポーネントと、
ｂ．固定スリーブであって、前記固定スリーブを貫通する少なくとも一つの開口部であってピンが前記スリーブを貫通できるようにする開口部を有する固定スリーブと、を備え、
前記固定スリーブ及び前記ネイルコンポーネントの一方が中空内腔を有し、前記固定スリーブ及び前記ネイルコンポーネントの他方を前記一方に同軸でスライドするような配置で嵌め込み、前記ネイルコンポーネントの前記壁部にある前記開口部を前記固定スリーブにある前記開口部に位置を合わせることができるようにしてあり、
前記髄内ネイルアセンブリは、
ｃ．前記ネイルコンポーネント及び前記固定スリーブにある前記開口部の位置を揃えた場合に、前記固定スリーブの前記壁部及び前記ネイルコンポーネントにある前記開口部に横方向に挿入して通すことができる固定ピンと、
ｄ．前記固定スリーブを前記ネイルコンポーネントに対し相対的に軸方向に動かし、前記ネイルコンポーネント及び前記固定スリーブにあり、位置が揃えられている前記開口部に挿入して通してある前記固定ピンがしっかりと保持されるようにするアクチュエータと、を備える髄内ネイルアセンブリ。
（２）  実施態様１記載のネイルアセンブリであって、前記アクチュエータがねじ付きキャップを備え、前記固定スリーブが一端に又は一端の近くに対応するねじ部を有し、前記ねじ付きキャップを前記固定スリーブの前記ねじ部と係合させることにより、前記固定スリーブを前記ネイルコンポーネントの前記内腔の中で軸方向に動かすことができる、ネイルアセンブリ。
（３）  実施態様１記載のネイルアセンブリであって、前記ネイルコンポーネントが、少なくとも第１及び第２の開口部を前記ネイルコンポーネントの壁部に有し、ピンが、前記ネイルコンポーネントを２つの異なる位置で貫通できるようにしている、ネイルアセンブリ。
（４）  実施態様３記載のネイルアセンブリであって、前記第１の開口部が前記第２の開口部に対して相対的に放射方向にずれている、ネイルアセンブリ。
（５）  実施態様３記載のネイルアセンブリであって、前記第１の開口部が前記第２の開口部に対し相対的に前記ネイルコンポーネントの軸に沿ってずれている、ネイルアセンブリ。
（６）  実施態様１から５までのいずれかに記載のネイルアセンブリであって、前記固定スリーブが、前記固定スリーブを貫通する、少なくとも第１及び第２の開口部を有する、ネイルアセンブリ。
（７）  実施態様６記載のネイルアセンブリであって、前記固定スリーブにある前記開口部の内の第１のものが、前記開口部の内の第２のものに対して相対的に放射方向にずれている、ネイルアセンブリ。
（８）  実施態様６記載のネイルアセンブリであって、前記固定スリーブにある前記開口部の内の第１のものが、前記開口部の内の第２のものに対して相対的に前記固定スリーブの軸に沿ってずれている、ネイルアセンブリ。
（９）  実施態様１記載のネイルアセンブリであって、前記固定スリーブが、前記固定スリーブの全長の少なくとも一部にわたって中空になっており、前記ネイルコンポーネントが前記固定スリーブに入れられている、ネイルアセンブリ。
（１０）  実施態様１記載のネイルアセンブリであって、前記ネイルコンポーネントが、前記ネイルコンポーネントの全長の少なくとも一部にわたって中空になっており、前記固定スリーブが前記ネイルコンポーネントに入れられている、ネイルアセンブリ。
（１１）  実施態様１０記載のネイルアセンブリであって、前記固定スリーブが前記固定スリーブの近位端部にねじ部が切ってある内腔を有しており、前記アクチュエータが雄ねじ付き軸部を有するプラグを備えており、前記雄ねじ付き軸部が前記固定スリーブの前記内腔の前記ねじ部と係合して前記固定スリーブを張力がかかった状態におく、ネイルアセンブリ。
（１２）  実施態様１０記載のネイルアセンブリであって、前記ネイルコンポーネントが、前記ネイルコンポーネントの近位端部にねじ部が切ってある内腔を有しており、前記アクチュエータが雄ねじ付き軸部を有するプラグを備えており、前記プラグにある前記ねじ付き軸部が前記ネイルコンポーネントの前記内腔の前記ねじ部と係合することができ、これにより、前記アクチュエータを前記ネイルコンポーネントの前記内腔に押し込み、前記アクチュエータの端部が前記固定スリーブと係合して、前記固定スリーブを圧縮された状態におくことが可能である、ネイルアセンブリ。
（１３）  実施態様１記載のネイルアセンブリであって、前記ネイルコンポーネント及び前記固定スリーブの一方が壁部に切り込まれた長手方向の溝部を有し、かつ、他方が舌状部を有しており、前記舌状部は、前記溝部に嵌め込んで、前記ネイルコンポーネントが前記固定スリーブに対して相対的にスライドするときに前記溝部に沿ってスライドさせることで、前記ネイルコンポーネント及び前記固定スリーブの相対的な角度方向のずれを抑制することができる、ネイルコンポーネント。
（１４）  髄内ネイルアセンブリであって、
ａ．髄管に嵌め込むことができるネイルコンポーネントであって、少なくとも一つの開口部であってピンが前記ネイルを貫通できるようにしている開口部を有するネイルコンポーネントと、
ｂ．前記ネイルコンポーネントの前記開口部の内部にある突出部であって、前記開口部を横切るように延びていて、前記ネイルの向かい合う側部の壁部の間の位置における前記開口部の寸法が、前記ネイルの壁部における前記開口部の寸法よりも小さくなるようにしている突出部と、
ｃ．前記ネイルコンポーネントの前記壁部にある前記開口部に、横切るように挿入して通すことができる固定ピンであって、前記固定ピンの横寸法が、前記突出部のあるところで測った前記開口部の横寸法よりも大きい固定ピンと、を備え、
前記固定ピンが前記突出部に接触するところでの前記固定ピンの材料は、前記突出部の材料よりも固く、前記ピンを前記開口部に挿入して通し、前記突出部のところを通過させると、前記突出部が変形し、前記固定ピンがしっかりと保持される、髄内ネイルアセンブリ。
（１５）  実施態様１５記載のネイルアセンブリであって、前記ネイルコンポーネントが内部に軸方向内腔を有しており、前記突出部が、前記内腔の中に配置された固定プラグによって与えられている、ネイルアセンブリ。
（１６）  実施態様１５記載のネイルアセンブリであって、前記固定プラグの材料は、前記ネイルコンポーネントの材料と異なる、ネイルアセンブリ。
（１７）  実施態様１５記載のネイルコンポーネントであって、前記固定プラグの材料は、高分子材料である、ネイルコンポーネント。
（１８）  実施態様１５記載のネイルコンポーネントであって、前記固定プラグが前記ネイルコンポーネントの前記内腔にスライド可能な締まりばめで嵌っている、ネイルコンポーネント。
（１９）  実施態様１５記載のネイルコンポーネントであって、前記固定プラグが前記固定プラグを貫通する開口部であってピンが前記プラグを貫通できるようにする開口部を有しており、前記突出部は前記開口部の壁部に設けられており、前記開口部の寸法を局所領域において小さくしている、ネイルコンポーネント。
【図面の簡単な説明】
【００６３】
【図１】図１は、本発明によるネイルアセンブリの側面図である。
【図２】図２は、図１に示したネイルアセンブリの線ＩＩ−ＩＩに沿った断面図である。
【図３】図２に示したネイルアセンブリの頭部の拡大図である。
【図４】図４は、図１に示したネイルアセンブリであって付加的な固定ピン付きのものの分解等角投影図である。
【図５ａ】図５ａは、ネイルアセンブリの他の実施形態における固定スリーブの断面立面図である。
【図５ｂ】図５ｂは、ネイルアセンブリの他の実施形態におけるエンドキャップの断面立面図である。
【図５ｃ】図５ｃは、ネイルアセンブリの他の実施形態におけるネイルコンポーネントの断面立面図である。
【図６ａ】図６ａは、ネイルアセンブリの他の実施形態におけるネイルコンポーネントの断面立面図である。
【図６ｂ】図６ｂは、ネイルアセンブリの他の実施形態における固定スリーブの断面立面図である。
【図７ａ】図７ａは、ネイルアセンブリの他の実施形態におけるネイルコンポーネントの断面立面図である。
【図７ｂ】図７ｂは、ネイルアセンブリの他の実施形態における固定スリーブの断面立面図である。
【図８】図８は、ネイルアセンブリの他の実施形態における固定スリーブ及びネイルコンポーネントの断面立面図である。
【図９】図９は、ネイルアセンブリの他の実施形態における固定スリーブ及びネイルコンポーネントの断面立面図である。
【図１０】図１０は、ネイルアセンブリの他の実施形態における固定プラグ及びネイルコンポーネントの断面立面図である。
【図１】
2007500564.tif 000003
【図２】
2007500564.tif 000004
【図３】
2007500564.tif 000005
【図４】
2007500564.tif 000006
【図５ａ】
2007500564.tif 000007
【図５ｂ】
2007500564.tif 000008
【図５ｃ】
2007500564.tif 000009
【図６ａ】
2007500564.tif 000010
【図６ｂ】
2007500564.tif 000011
【図７ａ】
2007500564.tif 000012
【図７ｂ】
2007500564.tif 000013
【図８】
2007500564.tif 000014
【図９】
2007500564.tif 000015
【図１０】
2007500564.tif 000016
【手続補正書】
【提出日】平成18年1月24日(2006.1.24)
【手続補正１】
【補正対象書類名】特許請求の範囲
【補正対象項目名】全文
【補正方法】変更
【補正の内容】
【特許請求の範囲】
【請求項１】
髄内ネイルアセンブリであって、
ａ．髄管に嵌めることができるネイルコンポーネントであって、それぞれのピンが前記ネイルを貫通できるようにする少なくとも第１及び第２の開口部を壁部に有するネイルコンポーネントと、
ｂ．固定スリーブであって、前記固定スリーブを貫通する少なくとも一つの開口部を有してピンが前記スリーブを貫通できるようにする、固定スリーブと、を備え、
前記固定スリーブ及び前記ネイルコンポーネントの一方が中空内腔を有し、前記固定スリーブ及び前記ネイルコンポーネントの他方を前記一方に同軸でスライドするような配置で嵌め込み、前記ネイルコンポーネントの前記壁部にある前記開口部を前記固定スリーブにある前記開口部と位置が揃うようにしてあり、
前記髄内ネイルアセンブリは、
ｃ．前記ネイルコンポーネント及び前記固定スリーブにある前記開口部の位置が揃えられたときに、前記ネイルコンポーネントの前記第１の開口部及び前記固定スリーブの前記開口部に挿入して横切るように通すことができる第１の固定ピンと、
ｄ．前記ネイルコンポーネントの前記第２の開口部に挿入して通すことができ、かつ、（ｉ）前記固定スリーブの別の開口部に挿入して通すことができる、又は、（ｉｉ）前記固定スリーブの端部と接触させることができる、第２の固定ピンと、を備え、
前記ネイルコンポーネントにある前記第１及び第２の開口部の間の間隔が、（ｉ）前記固定スリーブにある前記開口部の間、又は、（ｉｉ）前記固定スリーブにある前記開口部と、前記第２の固定ピンと接触させる前記固定スリーブの前記端部との間、の間隔とわずかに異なり、これにより、前記固定スリーブを前記ネイルコンポーネントに対し相対的に軸方向に動かして、前記固定ピンの各々がしっかりと保持されるようにする、髄内ネイルアセンブリ。
【請求項２】
請求項１記載のネイルアセンブリであって、
前記固定スリーブは、少なくとも、前記固定スリーブを貫通する第１及び第２の開口部を有し、前記スリーブにある前記開口部の内の前記第１の開口部は、前記第２の開口部に対し相対的に放射方向にずれている、ネイルアセンブリ。
【請求項３】
請求項２記載のネイルアセンブリであって、
前記スリーブにある前記開口部の内の前記第１の開口部は、前記開口部の内の前記第２の開口部に対し相対的に軸方向に沿ってずれている、ネイルアセンブリ。
【請求項４】
請求項１記載のネイルアセンブリであって、
前記固定スリーブが、当該固定スリーブの全長の少なくとも一部にわたって中空になっており、前記ネイルコンポーネントが前記固定スリーブに入れられている、ネイルアセンブリ。
【請求項５】
請求項１記載のネイルアセンブリであって、
前記ネイルコンポーネントが、当該ネイルコンポーネントの全長の少なくとも一部にわたって中空になっており、前記固定スリーブが前記ネイルコンポーネントに入れられている、ネイルアセンブリ。
【請求項６】
請求項１記載のネイルアセンブリであって、
前記ネイルコンポーネント及び前記固定スリーブの一方が壁部に切り込まれた長手方向の溝部を有し、かつ、他方が舌状部を有しており、前記舌状部は、前記溝部に嵌め込んで、前記ネイルコンポーネントが前記固定スリーブに対し相対的にスライドするときに前記溝部に沿ってスライドさせることで、前記ネイルコンポーネント及び前記固定スリーブの相対的な角度方向のずれを制御することができる、ネイルアセンブリ。
【請求項７】
髄内ネイルアセンブリであって、
ａ．髄管に嵌め込むことができるネイルコンポーネントであって、ピンが前記ネイルを貫通できるようにしている少なくとも１つの開口部を有するネイルコンポーネントと、
ｂ．前記ネイルコンポーネントの前記開口部の内部にある突出部であって、前記開口部を横切るように延びていて、前記ネイルの両側部の壁部の間の位置における前記開口部の寸法が、前記ネイルの壁部における前記開口部の寸法よりも小さくなるようにしている突出部と、
ｃ．前記ネイルコンポーネントの前記壁部にある前記開口部に、挿入して横切るように通すことができる固定ピンであって、前記固定ピンの横寸法が、前記突出部の位置で測った前記開口部の横寸法よりも大きい固定ピンと、を備え、
前記固定ピンが前記突出部に接触するところにおける前記固定ピンの材料は、前記突出部の材料よりも固く、前記ピンを前記開口部に挿入して通し、前記突出部を通過させると、前記突出部が変形し、これにより前記固定ピンがしっかりと保持される、髄内ネイルアセンブリ。
【請求項８】
請求項７記載のネイルアセンブリであって、
前記ネイルコンポーネントが内部に軸方向内腔を有しており、前記突出部が、前記内腔の中に配置された固定プラグによって与えられている、ネイルアセンブリ。
【請求項９】
請求項８記載のネイルアセンブリであって、
前記固定プラグの材料は、前記ネイルコンポーネントの材料と異なる、ネイルアセンブリ。
【請求項１０】
請求項８記載のネイルコンポーネントであって、
前記固定プラグの材料は、高分子材料である、ネイルコンポーネント。
【請求項１１】
請求項８記載のネイルコンポーネントであって、
前記固定プラグが前記ネイルコンポーネントの前記内腔に密接してスライド可能に嵌っている、ネイルコンポーネント。
【請求項１２】
請求項８記載のネイルコンポーネントであって、
前記固定プラグが、前記固定プラグを貫通する開口部であって、ピンが前記プラグを貫通できるようにする開口部を有しており、前記突出部は前記開口部の壁部に設けられており、前記開口部の寸法を局所領域において小さくしている、ネイルコンポーネント。
【請求項１３】
髄内ネイルアセンブリであって、
ａ．髄管に嵌め込むことができるネイルコンポーネントであって、ピンが前記ネイルを貫通できるようにしている少なくとも１つの開口部を壁部に有するネイルコンポーネントと、
ｂ．固定スリーブであって、前記固定スリーブを貫通する少なくとも一つの開口部を有し、前記開口部によりピンが前記スリーブを貫通可能であり、前記開口部の壁部に細長い溝部が形成されている、固定スリーブと、を備え、
前記固定スリーブ及び前記ネイルコンポーネントの一方が中空内腔を有し、前記固定スリーブ及び前記ネイルコンポーネントの他方を前記一方に同軸でスライドするような配置で嵌め込み、前記ネイルコンポーネントの前記壁部にある前記開口部を前記固定スリーブにある前記開口部に位置を合わせることができるようにしてあり、
前記髄内ネイルアセンブリは、
ｃ．前記ネイルコンポーネント及び前記固定スリーブにある前記開口部の位置を揃えたときに、前記固定スリーブの前記壁部及び前記ネイルコンポーネントにある前記開口部に挿入して横切るように通すことができる固定ピンと、
ｄ．前記固定スリーブを前記ネイルコンポーネントに対し相対的に軸方向に動かし、前記ネイルコンポーネント及び前記固定スリーブにおける位置を揃えた前記開口部に挿入して通した前記固定ピンがしっかりと保持されるようにするアクチュエータであって、その駆動力が、前記固定ピンの前記スリーブに対する作用により、前記スリーブを変形させる、アクチュエータと、を備える髄内ネイルアセンブリ。
【請求項１４】
請求項１３記載のネイルアセンブリであって、
前記アクチュエータがねじ付きキャップを備え、前記固定スリーブが一端に又は一端の近くに対応するねじ部を有し、前記ねじ付きキャップを前記固定スリーブの前記ねじ部と係合させることにより、前記固定スリーブを前記ネイルコンポーネントの前記内腔の中で軸方向に動かすことができる、ネイルアセンブリ。
【請求項１５】
請求項１３記載のネイルアセンブリであって、
前記ネイルコンポーネントが、少なくとも第１及び第２の開口部を前記ネイルコンポーネントの壁部に有し、ピンが、前記ネイルコンポーネントを２つの異なる位置で貫通できるようにしている、ネイルアセンブリ。
【請求項１６】
請求項１５記載のネイルアセンブリであって、
前記第１の開口部が前記第２の開口部に対し相対的に放射方向にずれている、ネイルアセンブリ。
【請求項１７】
請求項１５記載のネイルアセンブリであって、
前記第１の開口部が前記第２の開口部に対し相対的に前記ネイルコンポーネントの軸に沿ってずれている、ネイルアセンブリ。
【請求項１８】
請求項１３記載のネイルアセンブリであって、
前記固定スリーブが、前記固定スリーブを貫通する少なくとも第１及び第２の開口部を有する、ネイルアセンブリ。
【請求項１９】
請求項１８記載のネイルアセンブリであって、
前記スリーブにある前記開口部の内の第１の開口部が、前記開口部の内の第２の開口部に対し相対的に放射方向にずれている、ネイルアセンブリ。
【請求項２０】
請求項１８記載のネイルアセンブリであって、
前記スリーブにある前記開口部の内の第１の開口部が、前記開口部の内の第２の開口部に対し相対的に前記スリーブの軸に沿ってずれている、ネイルアセンブリ。
【請求項２１】
請求項１３記載のネイルアセンブリであって、
前記固定スリーブが、当該固定スリーブの全長の少なくとも一部にわたって中空になっており、前記ネイルコンポーネントが前記固定スリーブに入れられている、ネイルアセンブリ。
【請求項２２】
請求項１３記載のネイルアセンブリであって、
前記ネイルコンポーネントが、当該ネイルコンポーネントの全長の少なくとも一部にわたって中空になっており、前記固定スリーブが前記ネイルコンポーネントに入れられている、ネイルアセンブリ。
【請求項２３】
請求項２２記載のネイルアセンブリであって、
前記固定スリーブが、ねじ部が切ってある内腔を前記固定スリーブの近位端部に有しており、前記アクチュエータが雄ねじ付き軸部を有するプラグを備えており、前記雄ねじ付き軸部が前記スリーブの前記内腔の前記ねじ部と係合して前記固定スリーブを張力がかかった状態におく、ネイルアセンブリ。
【請求項２４】
請求項２２記載のネイルアセンブリであって、前記ネイルコンポーネントが、ねじ部が切ってある内腔を前記ネイルコンポーネントの近位端部に有しており、前記アクチュエータが雄ねじ付き軸部を有するプラグを備えており、前記プラグにある前記ねじ付き軸部が前記ネイルコンポーネントの前記内腔の前記ねじ部と係合することができ、これにより、前記アクチュエータを前記ネイルコンポーネントの前記内腔に押し込み、前記アクチュエータの端部を前記固定スリーブと係合させて、前記固定スリーブを圧縮された状態におくことができる、ネイルアセンブリ。
【請求項２５】
請求項１３記載のネイルアセンブリであって、前記ネイルコンポーネント及び前記固定スリーブの一方が壁部に切り込まれた長手方向の溝部を有し、かつ、他方が舌状部を有し、前記舌状部は、前記溝部に嵌め込んで、前記ネイルコンポーネントが前記固定スリーブに対し相対的にスライドするときに前記溝部に沿ってスライドさせることで、前記ネイルコンポーネント及び前記固定スリーブの相対的な角度方向のずれを制御することができる、ネイルコンポーネント。
【手続補正２】
【補正対象書類名】明細書
【補正対象項目名】００６２
【補正方法】変更
【補正の内容】
【００６２】
〔実施の態様〕
本発明の実施態様は以下の通りである。
（１）髄内ネイルアセンブリであって、
ａ．髄管に嵌めることができるネイルコンポーネントであって、それぞれのピンが前記ネイルを貫通できるようにする少なくとも第１及び第２の開口部を壁部に有するネイルコンポーネントと、
ｂ．固定スリーブであって、前記固定スリーブを貫通する少なくとも一つの開口部を有してピンが前記スリーブを貫通できるようにする、固定スリーブと、を備え、
前記固定スリーブ及び前記ネイルコンポーネントの一方が中空内腔を有し、前記固定スリーブ及び前記ネイルコンポーネントの他方を前記一方に同軸でスライドするような配置で嵌め込み、前記ネイルコンポーネントの前記壁部にある前記開口部を前記固定スリーブにある前記開口部と位置が揃うようにしてあり、
前記髄内ネイルアセンブリは、
ｃ．前記ネイルコンポーネント及び前記固定スリーブにある前記開口部の位置が揃えられたときに、前記ネイルコンポーネントの前記第１の開口部及び前記固定スリーブの前記開口部に挿入して横切るように通すことができる第１の固定ピンと、
ｄ．前記ネイルコンポーネントの前記第２の開口部に挿入して通すことができ、かつ、（ｉ）前記固定スリーブの別の開口部に挿入して通すことができる、又は、（ｉｉ）前記固定スリーブの端部と接触させることができる、第２の固定ピンと、を備え、
前記ネイルコンポーネントにある前記第１及び第２の開口部の間の間隔が、（ｉ）前記固定スリーブにある前記開口部の間、又は、（ｉｉ）前記固定スリーブにある前記開口部と、前記第２の固定ピンと接触させる前記固定スリーブの前記端部との間、の間隔とわずかに異なり、これにより、前記固定スリーブを前記ネイルコンポーネントに対し相対的に軸方向に動かして、前記固定ピンの各々がしっかりと保持されるようにする、髄内ネイルアセンブリ。
（２）実施態様１記載のネイルアセンブリであって、
前記固定スリーブは、少なくとも、前記固定スリーブを貫通する第１及び第２の開口部を有し、前記スリーブにある前記開口部の内の前記第１の開口部は、前記第２の開口部に対し相対的に放射方向にずれている、ネイルアセンブリ。
（３）実施態様２記載のネイルアセンブリであって、
前記スリーブにある前記開口部の内の前記第１の開口部は、前記開口部の内の前記第２の開口部に対し相対的に軸方向に沿ってずれている、ネイルアセンブリ。
（４）実施態様１記載のネイルアセンブリであって、
前記固定スリーブが、当該固定スリーブの全長の少なくとも一部にわたって中空になっており、前記ネイルコンポーネントが前記固定スリーブに入れられている、ネイルアセンブリ。
（５）実施態様１記載のネイルアセンブリであって、
前記ネイルコンポーネントが、当該ネイルコンポーネントの全長の少なくとも一部にわたって中空になっており、前記固定スリーブが前記ネイルコンポーネントに入れられている、ネイルアセンブリ。
（６）実施態様１記載のネイルアセンブリであって、
前記ネイルコンポーネント及び前記固定スリーブの一方が壁部に切り込まれた長手方向の溝部を有し、かつ、他方が舌状部を有しており、前記舌状部は、前記溝部に嵌め込んで、前記ネイルコンポーネントが前記固定スリーブに対し相対的にスライドするときに前記溝部に沿ってスライドさせることで、前記ネイルコンポーネント及び前記固定スリーブの相対的な角度方向のずれを制御することができる、ネイルアセンブリ。
（７）髄内ネイルアセンブリであって、
ａ．髄管に嵌め込むことができるネイルコンポーネントであって、ピンが前記ネイルを貫通できるようにしている少なくとも１つの開口部を有するネイルコンポーネントと、
ｂ．前記ネイルコンポーネントの前記開口部の内部にある突出部であって、前記開口部を横切るように延びていて、前記ネイルの両側部の壁部の間の位置における前記開口部の寸法が、前記ネイルの壁部における前記開口部の寸法よりも小さくなるようにしている突出部と、
ｃ．前記ネイルコンポーネントの前記壁部にある前記開口部に、挿入して横切るように通すことができる固定ピンであって、前記固定ピンの横寸法が、前記突出部の位置で測った前記開口部の横寸法よりも大きい固定ピンと、を備え、
前記固定ピンが前記突出部に接触するところにおける前記固定ピンの材料は、前記突出部の材料よりも固く、前記ピンを前記開口部に挿入して通し、前記突出部を通過させると、前記突出部が変形し、これにより前記固定ピンがしっかりと保持される、髄内ネイルアセンブリ。
（８）実施態様７記載のネイルアセンブリであって、
前記ネイルコンポーネントが内部に軸方向内腔を有しており、前記突出部が、前記内腔の中に配置された固定プラグによって与えられている、ネイルアセンブリ。
（９）実施態様８記載のネイルアセンブリであって、
前記固定プラグの材料は、前記ネイルコンポーネントの材料と異なる、ネイルアセンブリ。
（１０）実施態様８記載のネイルコンポーネントであって、
前記固定プラグの材料は、高分子材料である、ネイルコンポーネント。
（１１）実施態様８記載のネイルコンポーネントであって、
前記固定プラグが前記ネイルコンポーネントの前記内腔に密接してスライド可能に嵌っている、ネイルコンポーネント。
（１２）実施態様８記載のネイルコンポーネントであって、
前記固定プラグが、前記固定プラグを貫通する開口部であって、ピンが前記プラグを貫通できるようにする開口部を有しており、前記突出部は前記開口部の壁部に設けられており、前記開口部の寸法を局所領域において小さくしている、ネイルコンポーネント。
（１３）髄内ネイルアセンブリであって、
ａ．髄管に嵌め込むことができるネイルコンポーネントであって、ピンが前記ネイルを貫通できるようにしている少なくとも１つの開口部を壁部に有するネイルコンポーネントと、
ｂ．固定スリーブであって、前記固定スリーブを貫通する少なくとも一つの開口部を有し、前記開口部によりピンが前記スリーブを貫通可能であり、前記開口部の壁部に細長い溝部が形成されている、固定スリーブと、を備え、
前記固定スリーブ及び前記ネイルコンポーネントの一方が中空内腔を有し、前記固定スリーブ及び前記ネイルコンポーネントの他方を前記一方に同軸でスライドするような配置で嵌め込み、前記ネイルコンポーネントの前記壁部にある前記開口部を前記固定スリーブにある前記開口部に位置を合わせることができるようにしてあり、
前記髄内ネイルアセンブリは、
ｃ．前記ネイルコンポーネント及び前記固定スリーブにある前記開口部の位置を揃えたときに、前記固定スリーブの前記壁部及び前記ネイルコンポーネントにある前記開口部に挿入して横切るように通すことができる固定ピンと、
ｄ．前記固定スリーブを前記ネイルコンポーネントに対し相対的に軸方向に動かし、前記ネイルコンポーネント及び前記固定スリーブにおける位置を揃えた前記開口部に挿入して通した前記固定ピンがしっかりと保持されるようにするアクチュエータであって、その駆動力が、前記固定ピンの前記スリーブに対する作用により、前記スリーブを変形させる、アクチュエータと、を備える髄内ネイルアセンブリ。
（１４）実施態様１３記載のネイルアセンブリであって、
前記アクチュエータがねじ付きキャップを備え、前記固定スリーブが一端に又は一端の近くに対応するねじ部を有し、前記ねじ付きキャップを前記固定スリーブの前記ねじ部と係合させることにより、前記固定スリーブを前記ネイルコンポーネントの前記内腔の中で軸方向に動かすことができる、ネイルアセンブリ。
（１５）実施態様１３記載のネイルアセンブリであって、
前記ネイルコンポーネントが、少なくとも第１及び第２の開口部を前記ネイルコンポーネントの壁部に有し、ピンが、前記ネイルコンポーネントを２つの異なる位置で貫通できるようにしている、ネイルアセンブリ。
（１６）実施態様１５記載のネイルアセンブリであって、
前記第１の開口部が前記第２の開口部に対し相対的に放射方向にずれている、ネイルアセンブリ。
（１７）実施態様１５記載のネイルアセンブリであって、
前記第１の開口部が前記第２の開口部に対し相対的に前記ネイルコンポーネントの軸に沿ってずれている、ネイルアセンブリ。
（１８）実施態様１３記載のネイルアセンブリであって、
前記固定スリーブが、前記固定スリーブを貫通する少なくとも第１及び第２の開口部を有する、ネイルアセンブリ。
（１９）実施態様１８記載のネイルアセンブリであって、
前記スリーブにある前記開口部の内の第１の開口部が、前記開口部の内の第２の開口部に対し相対的に放射方向にずれている、ネイルアセンブリ。
（２０）実施態様１８記載のネイルアセンブリであって、
前記スリーブにある前記開口部の内の第１の開口部が、前記開口部の内の第２の開口部に対し相対的に前記スリーブの軸に沿ってずれている、ネイルアセンブリ。
（２１）実施態様１３記載のネイルアセンブリであって、
前記固定スリーブが、当該固定スリーブの全長の少なくとも一部にわたって中空になっており、前記ネイルコンポーネントが前記固定スリーブに入れられている、ネイルアセンブリ。
（２２）実施態様１３記載のネイルアセンブリであって、
前記ネイルコンポーネントが、当該ネイルコンポーネントの全長の少なくとも一部にわたって中空になっており、前記固定スリーブが前記ネイルコンポーネントに入れられている、ネイルアセンブリ。
（２３）実施態様２２記載のネイルアセンブリであって、
前記固定スリーブが、ねじ部が切ってある内腔を前記固定スリーブの近位端部に有しており、前記アクチュエータが雄ねじ付き軸部を有するプラグを備えており、前記雄ねじ付き軸部が前記スリーブの前記内腔の前記ねじ部と係合して前記固定スリーブを張力がかかった状態におく、ネイルアセンブリ。
（２４）実施態様２２記載のネイルアセンブリであって、前記ネイルコンポーネントが、ねじ部が切ってある内腔を前記ネイルコンポーネントの近位端部に有しており、前記アクチュエータが雄ねじ付き軸部を有するプラグを備えており、前記プラグにある前記ねじ付き軸部が前記ネイルコンポーネントの前記内腔の前記ねじ部と係合することができ、これにより、前記アクチュエータを前記ネイルコンポーネントの前記内腔に押し込み、前記アクチュエータの端部を前記固定スリーブと係合させて、前記固定スリーブを圧縮された状態におくことができる、ネイルアセンブリ。
（２５）実施態様１３記載のネイルアセンブリであって、前記ネイルコンポーネント及び前記固定スリーブの一方が壁部に切り込まれた長手方向の溝部を有し、かつ、他方が舌状部を有し、前記舌状部は、前記溝部に嵌め込んで、前記ネイルコンポーネントが前記固定スリーブに対し相対的にスライドするときに前記溝部に沿ってスライドさせることで、前記ネイルコンポーネント及び前記固定スリーブの相対的な角度方向のずれを制御することができる、ネイルコンポーネント。
（２６）髄内ネイルアセンブリであって、
ａ．髄管に嵌め込むことができるネイルコンポーネントであって、壁部に少なくとも一つの開口部であってピンが前記ネイルを貫通できるようにしている開口部を有するネイルコンポーネントと、
ｂ．固定スリーブであって、前記固定スリーブを貫通する少なくとも一つの開口部であってピンが前記スリーブを貫通できるようにする開口部を有する固定スリーブと、を備え、
前記固定スリーブ及び前記ネイルコンポーネントの一方が中空内腔を有し、前記固定スリーブ及び前記ネイルコンポーネントの他方を前記一方に同軸でスライドするような配置で嵌め込み、前記ネイルコンポーネントの前記壁部にある前記開口部を前記固定スリーブにある前記開口部に位置を合わせることができるようにしてあり、
前記髄内ネイルアセンブリは、
ｃ．前記ネイルコンポーネント及び前記固定スリーブにある前記開口部の位置を揃えた場合に、前記固定スリーブの前記壁部及び前記ネイルコンポーネントにある前記開口部に横方向に挿入して通すことができる固定ピンと、
ｄ．前記固定スリーブを前記ネイルコンポーネントに対し相対的に軸方向に動かし、前記ネイルコンポーネント及び前記固定スリーブにあり、位置が揃えられている前記開口部に挿入して通してある前記固定ピンがしっかりと保持されるようにするアクチュエータと、を備える髄内ネイルアセンブリ。
（２７）実施態様２６記載のネイルアセンブリであって、前記アクチュエータがねじ付きキャップを備え、前記固定スリーブが一端に又は一端の近くに対応するねじ部を有し、前記ねじ付きキャップを前記固定スリーブの前記ねじ部と係合させることにより、前記固定スリーブを前記ネイルコンポーネントの前記内腔の中で軸方向に動かすことができる、ネイルアセンブリ。
（２８）実施態様２６記載のネイルアセンブリであって、前記ネイルコンポーネントが、少なくとも第１及び第２の開口部を前記ネイルコンポーネントの壁部に有し、ピンが、前記ネイルコンポーネントを２つの異なる位置で貫通できるようにしている、ネイルアセンブリ。
（２９）実施態様２８記載のネイルアセンブリであって、前記第１の開口部が前記第２の開口部に対して相対的に放射方向にずれている、ネイルアセンブリ。
（３０）実施態様２８記載のネイルアセンブリであって、前記第１の開口部が前記第２の開口部に対し相対的に前記ネイルコンポーネントの軸に沿ってずれている、ネイルアセンブリ。
（３１）実施態様２６から３０までのいずれかに記載のネイルアセンブリであって、前記固定スリーブが、前記固定スリーブを貫通する、少なくとも第１及び第２の開口部を有する、ネイルアセンブリ。
（３２）実施態様３１記載のネイルアセンブリであって、前記固定スリーブにある前記開口部の内の第１のものが、前記開口部の内の第２のものに対して相対的に放射方向にずれている、ネイルアセンブリ。
（３３）実施態様３１記載のネイルアセンブリであって、前記固定スリーブにある前記開口部の内の第１のものが、前記開口部の内の第２のものに対して相対的に前記固定スリーブの軸に沿ってずれている、ネイルアセンブリ。
（３４）実施態様２６記載のネイルアセンブリであって、前記固定スリーブが、前記固定スリーブの全長の少なくとも一部にわたって中空になっており、前記ネイルコンポーネントが前記固定スリーブに入れられている、ネイルアセンブリ。
（３５）実施態様２６記載のネイルアセンブリであって、前記ネイルコンポーネントが、前記ネイルコンポーネントの全長の少なくとも一部にわたって中空になっており、前記固定スリーブが前記ネイルコンポーネントに入れられている、ネイルアセンブリ。
（３６）実施態様３５記載のネイルアセンブリであって、前記固定スリーブが前記固定スリーブの近位端部にねじ部が切ってある内腔を有しており、前記アクチュエータが雄ねじ付き軸部を有するプラグを備えており、前記雄ねじ付き軸部が前記固定スリーブの前記内腔の前記ねじ部と係合して前記固定スリーブを張力がかかった状態におく、ネイルアセンブリ。
（３７）実施態様３５記載のネイルアセンブリであって、前記ネイルコンポーネントが、前記ネイルコンポーネントの近位端部にねじ部が切ってある内腔を有しており、前記アクチュエータが雄ねじ付き軸部を有するプラグを備えており、前記プラグにある前記ねじ付き軸部が前記ネイルコンポーネントの前記内腔の前記ねじ部と係合することができ、これにより、前記アクチュエータを前記ネイルコンポーネントの前記内腔に押し込み、前記アクチュエータの端部が前記固定スリーブと係合して、前記固定スリーブを圧縮された状態におくことが可能である、ネイルアセンブリ。
（３８）実施態様２６記載のネイルアセンブリであって、前記ネイルコンポーネント及び前記固定スリーブの一方が壁部に切り込まれた長手方向の溝部を有し、かつ、他方が舌状部を有しており、前記舌状部は、前記溝部に嵌め込んで、前記ネイルコンポーネントが前記固定スリーブに対して相対的にスライドするときに前記溝部に沿ってスライドさせることで、前記ネイルコンポーネント及び前記固定スリーブの相対的な角度方向のずれを抑制することができる、ネイルコンポーネント。
（３９）髄内ネイルアセンブリであって、
ａ．髄管に嵌め込むことができるネイルコンポーネントであって、少なくとも一つの開口部であってピンが前記ネイルを貫通できるようにしている開口部を有するネイルコンポーネントと、
ｂ．前記ネイルコンポーネントの前記開口部の内部にある突出部であって、前記開口部を横切るように延びていて、前記ネイルの向かい合う側部の壁部の間の位置における前記開口部の寸法が、前記ネイルの壁部における前記開口部の寸法よりも小さくなるようにしている突出部と、
ｃ．前記ネイルコンポーネントの前記壁部にある前記開口部に、横切るように挿入して通すことができる固定ピンであって、前記固定ピンの横寸法が、前記突出部のあるところで測った前記開口部の横寸法よりも大きい固定ピンと、を備え、
前記固定ピンが前記突出部に接触するところでの前記固定ピンの材料は、前記突出部の材料よりも固く、前記ピンを前記開口部に挿入して通し、前記突出部のところを通過させると、前記突出部が変形し、前記固定ピンがしっかりと保持される、髄内ネイルアセンブリ。
（４０）実施態様３９記載のネイルアセンブリであって、前記ネイルコンポーネントが内部に軸方向内腔を有しており、前記突出部が、前記内腔の中に配置された固定プラグによって与えられている、ネイルアセンブリ。
（４１）実施態様４０記載のネイルアセンブリであって、前記固定プラグの材料は、前記ネイルコンポーネントの材料と異なる、ネイルアセンブリ。
（４２）実施態様４０記載のネイルコンポーネントであって、前記固定プラグの材料は、高分子材料である、ネイルコンポーネント。
（４３）実施態様４０記載のネイルコンポーネントであって、前記固定プラグが前記ネイルコンポーネントの前記内腔にスライド可能な締まりばめで嵌っている、ネイルコンポーネント。
（４４）実施態様４０記載のネイルコンポーネントであって、前記固定プラグが前記固定プラグを貫通する開口部であってピンが前記プラグを貫通できるようにする開口部を有しており、前記突出部は前記開口部の壁部に設けられており、前記開口部の寸法を局所領域において小さくしている、ネイルコンポーネント。
【国際調査報告】
2007500564.tif 000017
2007500564.tif 000018
2007500564.tif 000019